(57)【要約】【課題】撒き餌に群がってくるフグに対して、フグの摂餌行動を抑制して、フグによる影響を低減して釣果を向上させる。【解決手段】大きさが２〜１０ｍｍである多孔質固体の無機物の粒子を撒き餌用配合物として用いる。解凍したオキアミ３ｋｇを細かく砕いたものと粉末の配合餌１，５ｋｇと無機物の粒子を混合して海水を注いで、撹拌，放置すると、無機物の粒子の孔に餌成分が入り込む。これを撒き餌として、使用する。フグは、硬い物が嫌いな習性があるから、無機物の粒子に食いついたフグは、撒き餌に対する摂餌欲をなくして、撒き餌か漂っている領域から遠ざかる。粒子が多孔質であるから見かけの比重を調整でき、沈下速度を調整できる。【特許請求の範囲】
【請求項１】
大きさが２〜１０ｍｍである多孔質固体の無機物の粒子からなることを特徴とする撒き餌用配合物。
【請求項２】
前記粒子の見かけの比重が０．３〜１．０であることを特徴とする撒き餌用配合物。
【請求項３】
前記粒子が、軽石，沸石，珪藻土の少なくとも１種の粒子であることを特徴とする請求項１または２に記載の撒き餌用配合物。
【請求項４】
前記粒子に有機物を分解する菌を付着させたことを特徴とする請求項１〜３のいずれか１項に記載の撒き餌用配合物。
【請求項５】
請求項１〜４のいずれか１項に記載の撒き餌用配合物を配合した撒き餌。
【発明の詳細な説明】
【技術分野】
【０００１】
本発明は、撒き餌釣りを行う際に、餌や仕掛けをフグによる損害や剥奪から防御し、より効率的に魚を釣るための撒き餌の配合物および撒き餌に関するものである。
【背景技術】
【０００２】
従来、海釣りにおいて撒き餌を使用して釣りをした場合に、時期や、地域によっては、フグが大量に集魚され、フグが仕掛けに食いつくと、仕掛けの損害（釣り糸を噛まれるなど）が起こりやすく、釣りが成立しないことが頻繁に生じるのが現状である。
【０００３】
フグの歯は、１枚歯であり生態上歯を大事にすることから、フグは、硬い物が嫌いな習性がある。したがって、撒き餌によって小石等の硬いものを混合して、集魚されたフグに食いつかせると、食いついたフグは、撒き餌に対する摂餌欲をなくして、撒き餌が漂っている領域から遠ざかると考えられる。
【０００４】
多孔質固体の無機物を釣り餌や撒き餌に配合することが特許文献１に記載されている。この釣り餌は、カニ・エビ類および／またはイカの内臓物を必須成分とし、水分散時間の遅い水溶性高分子、特にアルギン酸ナトリウムを含有させ、無機多孔質、脱脂粉乳を配合し、低級アルコール類などとの共沸脱水で、加熱成型したものであり、用いられる無機多孔質の配合物は、粉体、例えば、軽石を粉砕し、２００メッシュ通過分を使用した粉末形状のものであり、表面から内部に連通している細孔には、エビ・カニ類、賦型剤および水溶性高分子を無機質内部に吸収し、溶解速度の調整や魚類の誘引性化合物のゆっくりした放出を有効にしたものであり、フグが食いついたとしても、歯に硬さを感じさせるものではない。したがって、フグに対して摂餌行動を抑制しようとする効果は望めない。
【先行技術文献】
【特許文献】
【０００５】
【特許文献１】特開２００１−２５８４８１号公報
【発明の概要】
【発明が解決しようとする課題】
【０００６】
本発明は、撒き餌に小石等を混ぜた場合、小石等にフグは食いつき難いという問題がある。また、撒き餌の沈下速度に比べて、比重の大きい小石等は、沈下速度が大きいから、これを撒き餌に混入しても、撒き餌が漂っている領域から早く沈下してしまい、フグが食いつく可能性が小さいという問題がある。
【課題を解決するための手段】
【０００７】
本発明は、大きさが２〜１０ｍｍである多孔質固体の無機物の粒子（以下、「多孔質の無機物粒子」という。）を撒き餌用配合物として用いることを特徴とするものである。
【発明の効果】
【０００８】
本発明の撒き餌用配合物によれば、多孔質であることにより、その孔に魚の好む摂餌成分を含む混合物に水分、例えば、海水を加えた水分含有物質を浸入させることができるので、無機物でありながら、フグが食いつく可能性を高めることができ、さらに、海中に撒いた場合の沈下速度を小さくすることができる。そして、その大きさを２〜１０ｍｍとしたことによって、フグが食いつきやすくなるとともに、食いついたフグに対して、摂餌行動を抑制することができ、釣りの対象魚の釣果を向上できるという効果がある。
【発明を実施するための形態】
【０００９】
フグの歯は、１枚歯であり生態上歯を大事にすることから、フグは、硬い物が嫌いな習性がある。その性質を利用して、多孔質の無機物粒子を配合物とした撒き餌を海中に撒くと、撒き餌によって集められた魚のうち、多孔質の無機物粒子に食いついたフグは、撒き餌に対する摂餌欲をなくして、仕掛けに食いつくことが抑制されると考えられる。
【００１０】
本発明の多孔質の無機物粒子の大きさは２〜１０ｍｍである。大きさが２ｍｍ未満ではフグに対する視覚的効果が薄く、フグに認識され難く、食いつく可能性が低下する。また、大きさが１０ｍｍを超えると、大き過ぎてフグの口に入り難い。したがって、大きさは、２〜１０ｍｍの範囲内にあるのがよく、より好ましくは、２〜６ｍｍである。すべてが同じ程度の大きさでも、範囲内の複数種類の大きさのものが混在してもよい。用いられる多孔質粒子の孔は、連続気泡と呼ばれる連通孔であり、この連通孔は、両端が表面に開口した多数の連通孔を有している。
【００１１】
多孔質の無機物粒子の大きさの範囲については、上述したとおりであるが、上述の範囲内の粒子のみでなければならないというものではなく、多少は、範囲外の粒子が混入しても構わない。混入の程度は、範囲内の粒子が、重量比で７０％以上含まれるのが好ましく、より好ましくは、８０％以上、さらに好ましくは９０％以上であるのがよい。
【００１２】
多孔質固体の無機物として、例えば、軽石，沸石，珪藻土を用いることができる。軽石は、火山から噴出される火山砕屑物の一種であり、細孔を有し、連通した孔が多い。沸石は、結晶中に微細孔をもつアルミノ珪酸塩天然物や、合成品でもよい。珪藻土は、藻類の一種である珪藻の殻の化石よりなる堆積岩であり、濾過助剤としても用いられるように、連通孔を有する多孔質体である。これらの多孔質体を破砕して、篩等の選別手段により所望の大きさの範囲の粒子を選別して用いる。また、植木鉢のような素焼きの陶器を用いることもできる。
【００１３】
多孔質の無機物粒子の形状は、破砕したものでは、破砕したままの不定形の形状のままで用いることができる。さらに、整形工程を経て整形をしてもよい。破砕したままの粒子は、凹凸が多いから撒き餌が付き易く孔に入りやすい利点がある。整形をする場合は、球形や多角形など、適宜の形状でよいが、鱗片状など、扁平な形状のものは、海中で沈下する際の動きが複雑となり、フグの目につきやすい利点がある。合成品など人工のものは、整形してから焼成するなどの方法も採用できる。このように、多孔質の無機物粒子の形状が特定の形状に限られるものではないから、粒子の大きさを粒径で記載するのは適当でなく、大きさと記載した。この明細書では、粒子の最大寸法を大きさと記載している。
【００１４】
多孔質の無機物粒子は、固体分と孔とによって形成されているから、この粒子の見かけの比重は、無機物である固体分の比重と孔が占める体積割合に依存するが、本発明に用いられる多孔質の無機物粒子の見かけの比重は、０．３〜１．０であるのが好ましい。後述するように、使用にあたっては、事前に魚の好む摂餌成分を含む水分含有物質が粒子の孔に浸入するから、見かけの比重が増加する。これを考慮すると、粒子の見かけの比重が０．３未満では、水分含有物質を孔に浸入させても、増加後の比重を海水の比重より大きくすることが難しい。また、粒子の見かけの比重が１．０を超えると、増加後の比重が海水の比重より十分に大きくなって、沈下速度が大きくなるので、フグが食いつく可能性が小さくなってしまう。したがって、多孔性の粒子の見かけの比重は、０．３〜１．０であるのが好ましいが、より好ましくは、０．４〜０．９の範囲である。なお、好ましい沈下速度は、２〜３０ｃｍ／ｓｅｃ、より好ましくは、５〜２８ｃｍ／ｓｅｃである。
【００１５】
多孔質の無機物粒子には、有機物を分解する菌（以下、「分解菌」という。）、例えば、乳酸産生菌を付着させておくことができる。分解菌の付着工程について説明する。分解菌の水溶液を用意し、この水溶液に多孔質体の粒子を投入する。投入後、撹拌をしてもよい。５〜１０分で孔に水溶液を浸入させることができる。ついで、多孔質の無機物粒子を水溶液から取り出して乾燥させることにより、多孔質の無機物粒子の表面および孔の内面の一部に分解菌を付着させることができる。この工程よりも、分解菌の付着数は少なくなるが、上記の水溶液を噴霧した後、乾燥させてもよい。
【００１６】
分解菌を付着させた多孔質の無機物粒子を配合した撒き餌を使用した場合、海底に沈んだ多孔質の無機物粒子に浸入させた有機物、その表面に付着した有機物、さらには、近傍に沈んだ有機物、さらには、すでに沈んでいる他人が撒いた撒き餌の有機物が、分解菌によって分解され、有機物の分解が速まる。
【００１７】
本発明の撒き餌用配合物の使用態様の一例について説明する。ここで説明する多孔質の無機物粒子は、分解菌を付着させていないものであるが、分解菌を付着させたものでも同じである。
【００１８】
魚の好む摂餌成分を含む混合物に水分、例えば、海水を加えた水分含有物質を撒き餌として用いる際に、事前に本発明の撒き餌用配合物を配合する。粒子の表面に摂餌成分を含む水分含有物質が付着し、さらに、孔には摂餌成分を含む水分含有物質が浸入する。この粒子が配合された摂餌成分を含む水分含有物質を撒き餌として釣り場に撒くと、多孔質の無機物粒子は、その表面に付着した摂餌成分を含む水分含有物質と孔に浸入した水分含有物質を放出しながら海水中を沈下する。表面に付着した摂餌成分を含む水分含有物質が放出され尽くしても、孔に浸入した摂餌成分を含む水分含有物質徐々に放出されるから、効果が持続する。放出される摂餌成分を含む水分含有によって、無機物であっても、粒子に魚が食いつく可能性を大きくできる。また、粒子の沈下速度は、孔に摂餌成分を含む水分含有物質が浸入していることにより、孔がない同じ成分の岩石等に比較して沈下速度を遅くでき、フグが食いつく確率を大きくできる。
【００１９】
摂餌成分を含む水分含有物質の匂いで集魚された魚は、摂餌成分を含む水分含有物質を放出しながら、ゆっくり海水中を沈下する多孔質の無機物粒子に食いつく。フグがこの粒子に食いつくと、食いついたフグは、その硬さのために摂餌行動が抑制され、仕掛けに食いつく可能性が低下するので、対象魚（例えば、クロダイ，メジナなど）が仕掛けに食いつく前にフグに仕掛けを取られる可能性を小さくして、対象魚の釣果を向上できる。
【００２０】
使用態様の一例を説明する。フグがいないと想定でき、いたとしても、その影響が極めて小さい場合には、フグ対策を施す必要がなく、従来利用されている撒き餌を用いればよく、本発明の多孔質の無機物粒子を用いる必要はない。従来の撒き餌の一例は、
Ａ．解凍したオキアミを細かく砕いたもの  ・・・３ｋｇ
Ｂ．粉末の配合餌                        ・・・１．５〜４ｋｇ
Ｃ．海水                                ・・・１０００〜２０００ｃｃ
を用意し、ＡとＢを混合した後、Ｃを注いで撹拌し、耳たぶ程度の柔らかさにして得られた摂餌成分を含む水分含有物質を、５〜１０分放置したものである。
【００２１】
フグが、大量にいて、撒き餌で集魚される場合には、撒き餌用配合物を利用する。例えば、
Ａ．解凍したオキアミを細かく砕いたもの  ・・・３ｋｇ
Ｂ．粉末の配合餌                        ・・・１．５〜４ｋｇ
Ｃ．海水                                ・・・１０００〜２０００ｃｃ
Ｄ．撒き餌用配合物（多孔質の無機物粒子）・・・１〜３ｋｇ
を用意し、ＡとＢとＤを混合した後、Ｃを注いで撹拌し、耳たぶ程度の柔らかさにして、５〜１０分放置した後、撒き餌として、使用する。放置せずに、５〜１０分の間にも撹拌を行って、摂餌成分を含む水分含有物質がＤの孔に浸入しやすいようにしてもよい。あるいは、ＡとＢを混合した後、Ｃを注いで撹拌し、耳たぶ程度の柔らかさにして得た摂餌成分を含む水分含有物質に、Ｄを投入してＤの粒子が混じり合うように撹拌してから、５〜１０分放置した後、撒き餌として使用する。放置せずに、５〜１０分の間においても撹拌を行って、摂餌成分を含む水分含有物質がＤの孔に浸入しやすくしてもよい。多孔質の無機物粒子の配合比率は、撒き餌全体の重量に対して１０％〜４５％、より好ましくは、１０〜３０％の範囲内の比率とするのがよい。多孔質の無機物粒子の配合比率が小さいと、フグに対する効果が少なく、多孔質の無機物粒子の配合比率が大きすぎると、対象魚とされる魚の集魚性が低下するからである。
【００２２】
なお、フグがいないと想定して釣りをしている途中で、フグがわくように集まってきたような場合は、撒き餌に後から撒き餌用配合物を追加、混合してもかまわない。そのような場合は、摂餌成分を含む水分含有物質が短時間で孔の中に入りやすくするため、圧力が加わるように、手でこねて撹拌するとよい。
【００２３】
本発明の撒き餌用配合物の効果を確かめるために実際の釣りで使用した結果を説明する。なお、比較対象区は、実験対象区に近傍であり、潮流等の考慮のもとに、それぞれの対象区の撒き餌をした領域が影響を受けないように選定した。
【００２４】
第１の例は、山形県庄内地区で行ったものである。
（実施例１）
実験対象区に用いた撒き餌：
Ａ．解凍したオキアミを細かく砕いたもの  ・・・３ｋｇ
Ｂ．粉末の配合餌                        ・・・３．５ｋｇ
Ｃ．海水                                ・・・１０００ｃｃ
Ｄ．撒き餌用配合物（多孔質の無機物粒子）・・・１ｋｇ
（比較例１）
比較対象区に用いた撒き餌：
Ａ．解凍したオキアミを細かく砕いたもの  ・・・３ｋｇ
Ｂ．粉末の配合餌                        ・・・３．５ｋｇ
Ｃ．海水                                ・・・１０００ｃｃ
結果は、比較対象区では、１０回投入して１０回針を剥奪され、実験対象区では、１０回投入し１回針を剥奪された。
【００２５】
第２の例は、千葉県天津小湊地区で行ったものである。
（実施例２）
実験対象区に用いた撒き餌：
Ａ．解凍したオキアミを細かく砕いたもの  ・・・３ｋｇ
Ｂ．粉末の配合餌                        ・・・１．６ｋｇ
Ｃ．海水                                ・・・８００ｃｃ
Ｄ．撒き餌用配合物（多孔質の無機物粒子）・・・１ｋｇ
（比較例２）
比較対象区に用いた撒き餌：
Ａ．解凍したオキアミを細かく砕いたもの  ・・・３ｋｇ
Ｂ．粉末の配合餌                        ・・・１．６ｋｇ
Ｃ．海水                                ・・・８００ｃｃ
結果は、比較対象区では、１０回投入して１０回針を剥奪され、実験対象区では、１０回投入し針の剥奪はなく、３回メジナの釣果を得られた。
【００２６】
以上の実験からも、本発明の撒き餌用配合物を用いることによって、フグを避けて釣果を向上させることができることが分かる。